【手続補正書】
【提出日】平成18年10月11日(2006.10.11)
【手続補正１】
【補正対象書類名】特許請求の範囲
【補正対象項目名】全文
【補正方法】変更
【補正の内容】
【特許請求の範囲】
【請求項１】
粉末(2)用のカプセル(1)であって、該粉末を保持するための内部チャンバー(21)と、外部環境への第1および第2の開口(17、15)と、を備えた本体を有してなり、該内部チャンバーを介して該第1および該第2の開口を互いに流体連通した状態に配置することにより、該第2の開口(15)から該本体を貫通して該第1の開口に至るエアフローの生成を可能にして該外部環境中の粉末をその充填用の該内部チャンバー内に連行できるようにした充填状態から、該内部チャンバーを該外部環境から密封することにより、その中に該粉末を収容して保持するようにした密封状態に、変位させるように、該本体が適合化されている、上記カプセル。
【請求項２】
前記充填状態および前記密封状態が、それぞれ、前記本体の拡張状態および収縮状態である、請求項１に記載のカプセル。
【請求項３】
前記本体の充填状態で、エアフローは貫通させうるが該エアフロー内に連行された粉末は閉じ込められる程度に、前記第1の開口が部分的に塞がれている、請求項１または２に記載のカプセル。
【請求項４】
前記本体が、前記本体の部分(3、5)を互いに移動させて前記本体をその充填状態および密封状態にする多部構造体である、請求項１、２または３に記載のカプセル。
【請求項５】
前記本体が前記充填状態および前記密封状態の両方で組み立てられる、請求項４に記載のカプセル。
【請求項６】
前記本体が、互いに移動させて前記本体をその充填状態および密封状態にする第1および第2の部分(5、3)を有する、請求項４または５に記載のカプセル。
【請求項７】
前記充填状態および前記密封状態で前記第1の部分が前記第2の部分に装着される、請求項５および６に記載のカプセル。
【請求項８】
前記密封状態で前記第1の部分が前記第2の部分に対して第1の位置に配置されて前記第1および前記第2の開口を密封閉鎖し、かつ前記充填状態で前記第1の部分が前記第2の部分に対して第2の位置に配置されて前記第1および前記第2の開口を開放する、請求項６または７に記載のカプセル。
【請求項９】
前記第1の部分が前記充填状態で前記第1の開口を部分的に塞ぐ、請求項３に従属する場合の請求項６〜８のいずれか1項に記載のカプセル。
【請求項１０】
前記第1の部分が前記充填状態で前記第1の開口に部分的に差し込まれる、請求項９に記載のカプセル。
【請求項１１】
前記第1の部分が、前記充填状態で前記第1の開口中に位置するプラグ領域(34)を有し、該プラグ領域が、前記充填状態で前記第1の開口の内表面から少なくとも部分的に離間した外表面(37)を有する、請求項１０に記載のカプセル。
【請求項１２】
前記外表面が第1および第2の外表面部分を有し、前記充填状態で該第1の外表面部分(37)が前記第1の開口の内表面から離間しかつ該第2の外表面部分が前記第1の開口の内表面に当接する、請求項１１に記載のカプセル。
【請求項１３】
前記第1の外表面部分が前記プラグ領域の外表面内の1つ以上のチャネル(37)に対応する、請求項１２に記載のカプセル。
【請求項１４】
前記プラグ領域が第1のプラグ領域であり、かつ前記第1の部分が、前記密封状態で前記第1の開口を密封閉塞する第2のプラグ領域を有する、請求項１１、１２、または１３に記載のカプセル。
【請求項１５】
前記第2の部分に対して第1の方向に前記第1の部分を移動させることにより、前記本体が前記充填状態から前記密封状態に移動され、前記第1のプラグ領域が、使用時、前記第2のプラグ領域に対して該第1の方向に前記第1の部分上に配置される、請求項１４に記載のカプセル。
【請求項１６】
前記第1および前記第2のプラグ領域が隣接して配置される、請求項１４または１５に記載のカプセル。
【請求項１７】
前記第1の部分が前記密封状態で前記第2の開口を密封閉塞する、請求項８または請求項８に従属する場合の請求項９〜１６のいずれか1項に記載のカプセル。
【請求項１８】
前記第1の開口が前記第2の部分中に形成される、請求項６〜１７のいずれか1項に記載のカプセル。
【請求項１９】
前記第2の開口が前記第2の部分中に形成される、請求項６〜１８のいずれか1項に記載のカプセル。
【請求項２０】
前記第2の部分が、前記第1および前記第2の開口を接続する内部通路(21)を有するスリーブ部である、請求項１８または１９に記載のカプセル。
【請求項２１】
前記第1の開口が前記通路内の絞り(25)により形成される、請求項２０に記載のカプセル。
【請求項２２】
前記絞りが、前記通路内の内向きに方向付けられたショルダー(25)により形成される、請求項２１に記載のカプセル。
【請求項２３】
前記第2の開口が前記内部通路の末端に形成される、請求項２０〜２２のいずれか1項に記載のカプセル。
【請求項２４】
前記第1の部分が前記第2の部分内にそれに対して摺動移動するように装着される、請求項６〜２３のいずれか1項に記載のカプセル。
【請求項２５】
前記内部チャンバーが前記第1および前記第2の部分の間に規定される、請求項６〜２４のいずれか1項に記載のカプセル。
【請求項２６】
前記第1の部分が前記通路内に摺動可能に装着され、かつ前記内部チャンバーが、前記通路の内表面と前記第1の部分の外表面との間に規定される、請求項２０〜２３のいずれか1項に記載のカプセル。
【請求項２７】
前記充填状態で、前記第1の部分が前記第2の開口を貫通して延在し、連行された粉末を前記内部チャンバー内に進入させるためのギャップをそれらの間に残存させ、かつ前記密封状態で、前記第1の部分が前記第2の開口内に密封関係になるように移動される、請求項６〜２６のいずれか1項に記載のカプセル。
【請求項２８】
前記第1の部分が、前記充填状態では前記第2の開口から外方向に離間して配置されるが前記密封状態では前記第2の開口内に密封着座されるキャップ領域(39)を有する、請求項２７に記載のカプセル。
【請求項２９】
前記第1の部分が、前記キャップ領域を前記プラグ領域に接続するシャンク領域(29)を有する、請求項１１に従属する場合の請求項２８に記載のカプセル。
【請求項３０】
前記第1および前記第2の部分が、前記第1の開口から前記本体を貫通して前記第2の開口に至るエアフローを形成して前記内部チャンバーの粉末を前記外部環境中に連行できるようにした送出状態に前記密封状態から前記本体を移行すべく、互いにさらに移動可能である、請求項６〜２９のいずれか1項に記載のカプセル。
【請求項３１】
前記第1の部分が、前記プラグ領域の対応する寸法未満である横方向寸法をもつ領域を有し、該領域が、前記送出状態で前記第1の開口に位置整合した状態になるように前記プラグ領域に対して配置される、請求項１１に従属する場合の請求項３０に記載のカプセル。
【請求項３２】
前記内部チャンバー内に医薬粉末を含む、請求項１〜３１のいずれか1項に記載のカプセル。
【請求項３３】
前記内部チャンバー内に単位用量の前記医薬粉末を有する、請求項３２に記載のカプセル。
【請求項３４】
前記内部チャンバーが単一の内部チャンバーである、請求項１〜３３のいずれか1項に記載のカプセル。
【請求項３５】
請求項３３または３４に記載のカプセルの1つまたはそれ以上を含む吸入器具。
【請求項３６】
粉末が充填されたカプセルを提供する方法であって、
(a)請求項１〜３４のいずれか1項に記載のカプセルをその充填状態で提供する工程と、
(b)前記第2の開口から前記第1の開口の方向に前記カプセルの本体を貫通してエアフローを形成することにより、前記カプセルの外部に配置された粉末源から粉末を前記本体の内部チャンバー内に連行する工程と、
(c)前記カプセルをその密封状態に移行する工程と、
を有する、上記方法。
【請求項３７】
前記粉末源は粉末雲である、請求項３６に記載の方法。
【請求項３８】
前記エアフローが、前記第1の開口に真空を適用することにより形成される、請求項３６または３７に記載の方法。
【請求項３９】
前記粉末が医薬粉末である、請求項３６、３７、または３８に記載の方法。
【請求項４０】
複数の前記カプセルに同時に適用される、請求項３６〜３９のいずれか1項に記載の方法。
【請求項４１】
各カプセルが同一量の粉末または実質的に同一量の粉末を包含するように複数の前記カプセルに適用される、請求項３６〜４０のいずれか1項に記載の方法。